(57)【特許請求の範囲】
【請求項１】
空気調和機本体の空気の吹出口にドレンパンの前部領域を露出させ、この前部領域に凹溝部を形成し、この凹溝部に縦羽根を支持する支持部材を配置し、この支持部材を前記ドレンパンを貫通するボルトで固定した天吊型空気調和装置において、前記ドレンパンのボルト貫通部に前記支持部材に密接可能な突堤部を形成したことを特徴とする天吊型空気調和装置。
【発明の詳細な説明】
【０００１】
【発明の属する技術分野】
本発明は、天吊型空気調和装置のドレンパンの構造に関する。
【０００２】
【従来の技術】
一般に、空気調和機本体のパネルに形成された空気の吹出口に発泡ポリスチレンで形成されたドレンパンの前部領域が露出する天吊型空気調和装置は知られている。この種のものでは、安価な白色系の発泡ポリスチレンでドレンパンを成形しているが、パネルに形成された吹出口に露出する前部領域には吹出口と略同系色の塗装を施したり、植毛布を設けたりするのが一般的である。
【０００３】
【発明が解決しようとする課題】
しかしながら、前記ドレンパンの前部領域に塗装を施したり植毛布を設けたりするのでは、色むらやきずが目立ち易くまた植毛布が剥がれたり汚れたりする等の問題がある。一方、ドレンパンの全てを吹出口と略同系色の発泡ポリスチレンで形成するとなると、白色系の発泡ポリスチレンで成形する場合に比べて製造コストが大幅に増大するという問題がある。
【０００４】
また空気調和機本体の空気の吹出口に縦羽根を設ける場合にこの縦羽根を支持する支持部材を、前記吹出口に露出するドレンパンの前部領域に、当該ドレンパンを貫通するボルトで固定する場合がある。
【０００５】
この場合、支持部材は板金製であってこの支持部材に結露が生じると、ドレンがボルトの貫通孔に流入してドレンパンの下面に廻り込み、パネルの隙間を通じて被調和室内に滴下するという問題がある。
【０００６】
そこで、本発明の目的は、製造コストを増大させることなく前記課題を解消することのできる空気調和装置を提供することにある。
【０００７】
【課題を解決するための手段】
請求項１記載の発明は、空気調和機本体の空気の吹出口にドレンパンの前部領域を露出させ、この前部領域に凹溝部を形成し、この凹溝部に縦羽根を支持する支持部材を配置し、この支持部材を前記ドレンパンを貫通するボルトで固定した天吊型空気調和装置において、前記ドレンパンのボルト貫通部に前記支持部材に密接可能な突堤部を形成したことを特徴とするものである。
【００１０】
この発明では、前記ドレンパンのボルト貫通部に突堤部が形成されるので、仮に支持部材に結露が生じても、このドレンは突堤部で遮られるので、ドレンがボルト貫通孔に流入することはない。
【００１１】
【発明の実施の形態】
以下、本発明の一実施形態を図面に基づいて説明する。
【００１２】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７に固定・配置されている。
【００１３】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、減圧装置、室外熱交換器等に接続される。
【００１４】
この熱交換器１５の下方には、図１に示すように発泡ポリスチレン製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１５】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１６】
この実施形態では、前記のドレンパン３１の構造に特徴を有する。このドレンパン３１は前述したように発泡ポリスチレン製であり、図３ａ〜図３ｄに示すように前部領域３１ｂと、残りの部分３１ｃとで構成され、前部領域３１ｂに相当する一部１００は、図４に示すように、空気調和機本体１のパネル３３に形成された吹出口４１に外部から見えるように露出する。
【００１７】
このドレンパン３１は発泡ポリスチレン成形機を用いて製造され、前部領域３１ｂは、吹出口４１と略同系色の発泡ポリスチレンで形成されると共に残りの部分３１ｃは白色系の発泡ポリスチレンで形成される。
【００１８】
発泡ポリスチレン成形機では、発泡材を配合したビーズ状のポリスチレン材料を３０〜５０倍に予備発泡させて金型に入れ、この予備発泡させた材料を加熱蒸気によって圧着させることにより成形する。従って、前部領域３１ｂは、吹出口４１と略同系色の着色材を添加して発泡成形し、残りの部分３１ｃは白色系のポリスチレン材料を用いて発泡成形すればよい。
【００１９】
この実施形態では、ドレンパン３１の殆どが安価な白色系の発泡ポリスチレンで形成され、残りの前部領域３１ｂが吹出口４１と同系色の発泡ポリスチレンで形成されるので、略同系色の発泡ポリスチレンを用いる分だけ製造コストが増大するにしても、従来に比べて大きく製造コストを増大させることはない。
【００２０】
また前部領域３１ｂは吹出口４１と略同系色の発泡ポリスチレンで形成されるので、従来のように前部領域３１ｂに塗装を施したり植毛布を設けたりする必要はない。従って色むらやきずの問題或いは植毛布が剥がれたり汚れたりする等の問題は解消される。
【００２１】
つぎに、別の実施形態を説明する。
【００２２】
空気調和機本体１の吹出口４１には、図４に示すように、風向変更用の横羽根６１および縦羽根６３が設けられる。この実施形態では、縦羽根６３を支持する断面が略コ字状の板金製の支持部材６５が、ドレンパン３１を貫通するボルト６７を用いて、当該ドレンパン３１の前部領域３１ｂに固定されている。即ち、このドレンパン３１には、図３ａ〜図３ｄに示すように、前記支持部材６５を収容するための当該支持部材６５と略同じ長さを有する凹溝部６９が設けられ、支持部材６５は、この凹溝部６９に収容された後、略中央に位置する貫通孔７１を貫通する前記ボルト６７（図４参照）を用いて固定される。
【００２３】
この実施形態では、前記貫通孔７１は、図３ｃに示すように、凹溝部６９に設けられた略楕円形の突堤部７３に形成され、ボルト６７で支持部材６５を固定した場合、この支持部材６５の裏面は突堤部７３に密接する。
【００２４】
この構成によれば、支持部材６５は板金製であってこの支持部材６５には結露が生じるおそれがある。このドレンは凹溝部６９に集められ、この凹溝部６９は連通部７５を介してドレン溜まり３１ａに連通するので、これらドレンはドレン溜まり３１ａに流出する。しかし従来であれば凹溝部６９に集められたドレンの一部がボルトの貫通孔７１に流入してドレンパン３１の下面に廻り込み、パネル３３の隙間を通じて被調和室内に滴下するおそれがあった。
【００２５】
この実施形態では、ボルト６７の貫通部に略楕円形の突堤部７３が設けられ、この突堤部７３は、ボルト６７で支持部材６５を固定した場合、この支持部材６５の裏面に密接するので、ドレンがこの突堤部７３で遮られ、貫通孔７１に流入することがない。従って、ドレンパン３１の下面にドレンが廻り込むことはなく、被調和室内にドレンが滴下することはない。
【００２６】
以上、一実施形態に基づいて本発明を説明したが、本発明はこれに限定されるものではない。例えば支持部材および突堤部の形態は前記形態に限定されず、本発明の趣旨を逸脱しない範囲内で変更は可能である。
【００２７】
【発明の効果】
請求項１記載の発明によれば、ドレンパンのボルト貫通部に突堤部が形成されるので、仮に支持部材に結露が生じても、このドレンは突堤部で遮られるので、ドレンがボルト貫通孔に流入することはない。
【図面の簡単な説明】
【図１】本発明による空気調和装置の一実施形態を示す側面断面図である。
【図２】同じく内部構造を示す平面図である。
【図３】（ａ）はドレンパンの平面図、ｂは（ａ）のｂ−ｂ断面図、ｃは（ａ）のｃ−ｃ断面図、ｄは（ａ）のｄ−ｄ断面図である。
【図４】空気調和本体の空気の吹出口を示す断面図である。
【符号の説明】
１  空気調和機本体
１１  電装箱
１３  送風機
１５  熱交換器
３１  ドレンパン
３１ｂ  前部領域
３１ｃ  残りの部分
３３  パネル
４１  吹出口
６３  縦羽根
６５  支持部材
６７  ボルト
６９  凹溝部
７１  貫通孔
７３  突堤部
【図１】
0003670818.tif 000002
【図２】
0003670818.tif 000003
【図３】
0003670818.tif 000004
【図４】
0003670818.tif 000005